(57)【要約】      （修正有）【課題】釣り糸に取り付けたまま遊動可能な釣り用おもりを提供する。【解決手段】略球状の釣り用おもり１００であって、開閉可能な球の中心より深い割り込みである第１の割り込み部１０１を備え、第１の割り込み部１０１は、割り込みを閉じることで、釣り糸を自由に遊動できる穴１０２ｈに変形する。【選択図】図２
0003230610.tif 000002
【実用新案登録請求の範囲】
【請求項１】
略球状の釣り用おもりであって、
開閉可能な球の中心より深い割り込みである第１の割り込み部を備え、
前記第１の割り込み部は、
割り込みを閉じることで、釣り糸を自由に遊動できる穴に変形することを特徴とする釣り用おもり。
【請求項２】
前記穴は、
前記釣り糸の太さよりも内径が大きいことを特徴とする請求項１に記載の釣り用おもり。
【請求項３】
前記第１の割り込み部は、
割り込みを閉じることで、前記釣り糸が前記穴の内部から外部への移動を阻害する阻害部となることを特徴とする請求項１または２に記載の釣り用おもり。
【請求項４】
前記第１の割り込み部は、
割り込みを閉じると、少なくとも一部が密着する合わせ面を有することを特徴とする請求項１ないし３の何れか１項に記載の釣り用おもり。
【考案の詳細な説明】
【技術分野】
【０００１】
本考案は、釣り用おもりに関する。
【背景技術】
【０００２】
従来、釣り用おもりは、鉛又は鉛合金が多く用いられている。
そのため、特許文献１のように、おもりに溝状の浅い割れ目を設け、該当の割れ目に釣り糸を挟んでおもりを噛み潰し、釣り糸を圧着固定していた。
【先行技術文献】
【特許文献】
【０００３】
【特許文献１】特開２００１−２６９１０１号公報
【考案の概要】
【考案が解決しようとする課題】
【０００４】
しかしながら、このような釣り用おもりでは、一度取付ければ、おもりが釣り糸に固定されることで、取り付け位置の変更が難しく、水中で障害物に引っかかり根掛かりをおこしやすいといった問題があった。
【０００５】
本考案は、上述したような問題点に鑑みてなされたものであり、釣り糸に取り付けたまま遊動可能な釣り用おもりを提供することを目的とする。
【課題を解決するための手段】
【０００６】
本考案は、略球状の釣り用おもりであって、開閉可能な球の中心より深い割り込みである第１の割り込み部を備え、前記第１の割り込み部は、割り込みを閉じることで、釣り糸を自由に遊動できる穴に変形することを特徴とする。
【考案の効果】
【０００７】
本考案によれば、釣り糸に取り付けたまま遊動可能な釣り用おもりを提供することができる。
【図面の簡単な説明】
【０００８】
【図１】釣り用おもりを使用した釣具の全体構成図である。
【図２】釣り用おもりの平面図である。
【考案を実施するための形態】
【０００９】
以下に、本実施形態に係る釣り用おもり１００について図面を参照して説明する。なお、説明を容易にするために、各図には必要に応じて、右側をＲｉ、左側をＬｅ、前側をＦｒ、後側をＲｒとして示している。
【００１０】
図１は、釣り用おもり１００を使用した釣具の全体構成図である。図２（ａ）は、釣り用おもり１００の釣り糸に取り付ける前の状態の平面図である。図２（ｂ）は、釣り用おもり１００の取り付けた後の状態の平面図である。図２（ａ）、（ｂ）に示すＩ−Ｉ線は、釣り用おもり１００の前後方向の中心線であり、Ｊ−Ｊ線は、釣り用おもり１００の左右方向の中心線である。よって、Ｉ−Ｉ線とＪ−Ｊ線の交差点が釣り用おもり１００の上から見た中心である。
【００１１】
釣り用おもり１００は、釣り竿に張られた釣り糸に取り付ける釣り用おもりであり、魚釣り用の仕掛け１１０の浮力の調整等に用いられている。また、魚釣り用の仕掛け１１０は、例えば、釣り針１１１と、浮き１１２と、を備える。
釣り用おもり１００は、第１の割り込み部１０１と、第２の割り込み部１０４と、を備える。
釣り用おもり１００は、図２（ａ）、（ｂ）に示すように、略球状である。ここで、略球状とは、球以外の立体、例えば、ラグビーボールのような楕円体や、ナス型、ナツメ型、また、円錐状およびそれらを組み合わせた形状であってもよい。
釣り用おもり１００の前側には断面が略Ｖ字の第１の割り込み部１０１が、中心から表面へ向かって径方向に沿って形成されており、その背面には、同様に中心から表面へ向かって径方向に沿って第２の割り込み部１０４が形成されている。
また、釣り用おもり１００は、直径、重さは一般的な釣り用おもりと同等である。本実施形態では、釣り用おもり１００は、比重１.００ｇ／ｃｍ3以上の材質（金属・非鉄金属等）であるが、その他の大きさ、材質であってもよい。
【００１２】
第１の割り込み部１０１は、釣り用おもり１００の中心を通る割り込み部である。
第１の割り込み部１０１は、開閉可能な略Ｖ字の割り込みであり、割り込みの深さは球の中心より深い。つまり、第１の割り込み部１０１の深さは、図２において、Ｉ−Ｉ線よりも、後側まで達している。第１の割り込み部１０１は、溝１０２と、合わせ面１０３と、を有する。
第１の割り込み部１０１は、割り込みの底部分に溝１０２があり、傾斜部分に合わせ面１０３がある。第１の割り込み部１０１は、釣り用おもり１００を横断して形成されており、第１の割り込み部１０１を閉じることで、釣り糸が釣り用おもり１００を貫通する状態となる。
【００１３】
溝１０２は、第１の割り込み部１０１の底にある溝である。溝１０２は、第１の割り込み部１０１の割り込みに沿うように断面が略半円柱状に形成されており、釣り糸を沿わせることができる。溝１０２は、図２（ｂ）のように、第１の割り込み部１０１が閉じるとき、後述する合わせ面１０３の密着により、釣り糸を遊動する方向に形成されている溝から、略円柱状の穴１０２ｈに変形する。これにより、釣り糸が遊動する経路となる。また、穴１０２ｈの内径は、釣り糸の太さよりも大きくなるように形成されている。これにより、釣り糸は、穴１０２ｈの内側を自由に遊動可能である。
【００１４】
合わせ面１０３は、第１の割り込み部１０１の略Ｖ字の傾斜面部分である。合わせ面１０３は、釣り用おもり１００は製造される際に、傾斜の異なる２段階の傾斜をもって鋳造されるが他の方法であってもよい。例えば、略球状のおもりに対して、中心を通るように切れ込みをいれる加工をし、球の表面側に、切削工具により、より大きく開くようにテーパーをつけてもよい。これにより、合わせ面１０３は、傾斜の異なる２段階の傾斜面で構成される。ここで、釣り用おもり１００の中心に近い部分の傾斜面を合わせ面１０３ａ、表面に近い部分の傾斜面を合わせ面１０３ｂとすると、合わせ面１０３ａよりも合わせ面１０３ｂが開きの大きさが大きい。
【００１５】
合わせ面１０３ａは、図２（ｂ）のように、第１の割り込み部１０１が閉じたとき、互いに密着する傾斜面である。合わせ面１０３ａは、合わせ面１０３ｂとの接点間の長さｌ１が１ｍｍより大きくなるような開きａを有する。しかし、合わせ面１０３ｂの開きｂ１と比較して開きａの大きさは小さい。そのため、第１の割り込み部１０１が閉じたとき、合わせ面１０３ｂ同士は密着しないが、合わせ面１０３ａ同士は互いに密着する。つまり、合わせ面１０３の少なくとも一部が密着する。これにより、穴１０２ｈに通して貫通した釣り糸が穴から外れようとしても、密着した合わせ面１０３ａは、釣り糸が穴１０２ｈより外れようとする移動、つまり、穴の内部から外部へ移動を阻害する阻害部としても機能する。
【００１６】
合わせ面１０３ｂは、図２（ｂ）のように、第１の割り込み部１０１が閉じたとき、密着しない傾斜面である。合わせ面１０３ｂは、合わせ面１０３ａと比較して、開いた時の開きｂ１の大きさが、合わせ面１０３ａの開きａの大きさよりも大きい。そのため、合わせ面１０３ｂは、第１の割り込み部１０１が閉じたときであっても、互いに密着しない。このとき、第１の割り込み部１０１は、深さが長さｌ２であり、釣り用おもり１００の大きさに応じた大きさとなる。これにより、第１の割り込み部１０１が閉じたときの合わせ面１０３ｂの開きｂ２の大きさ、つまり、第１の割り込み部１０１の開きの大きさは、略６０度となり、釣り糸から釣り用おもり１００を取り外す際に利用する爪溝として利用できる。
【００１７】
第２の割り込み部１０４は、釣り用おもり１００の中心を挟んで、第１の割り込み部１０１の背面に中心から表面へ向かって径方向に沿って形成されている開閉可能な割り込みである。第２の割り込み部１０４は、第１の切り込み部１０１が開いているときには、閉じており、逆に、第１の割り込み部１０１が閉じているときに開いている。
第２の割り込み部１０４は、略Ｖ字であり、割り込みの深さは球の中心より浅い。つまり、第２の割り込み部１０４の深さは、図２（ｂ）において、Ｉ−Ｉ線よりも、前側まで達しない。そのため、第２の割り込み部１０４の底部分と、穴１０２ｈとは、長さｌ３離れている。これにより、第２の割り込み部１０４の深さが決定されることで、開きｄの大きさが、略３０度となり、釣り用おもり１００の後側の応力が小さくなるためである。
【００１８】
以上のように構成される釣り用おもり１００を使用者が釣り糸に付ける方法について説明する。
まず、使用者は、図２（ａ）のような第１の割り込み部１０１が開いた状態である釣り用おもり１００を用意する。
次に、使用者は、釣り用おもり１００を釣り糸の取り付ける位置近くにセットする。次に、使用者は、第１の割り込み部１０１に当該位置の釣り糸を沿わせる。このとき、釣り糸は、第１の割り込み部１０１を閉じたときに、合わせ面１０３に挟まれないように、溝１０２の位置まで沿わせる。また、釣り糸にティッシュペーパー等の薄い紙をまいて釣り糸の負担を軽減してもよい。
【００１９】
次に、使用者は、釣り用おもり１００を第１の割り込み部１０１が閉じるようにペンチまたはプライヤー等で挟み込んで閉じる。このとき、噛み潰して閉じてもよい。これにより第１の割り込む部１０１が閉じることで、合わせ面１０３も互いの合わせ面１０３ａ同士が密着する。これにより、溝１０２は、釣り糸を沿わせたまま、穴１０２ｈとなり、穴内側に釣り糸がある状態、つまり釣り糸が釣り用おもり１００を貫通した状態となる。このとき、穴１０２ｈの内径が釣り糸に対して大きいため、釣り用おもり１００は、釣り糸上を遊動可能である。また、同様にして使用者は、釣り糸の異なる位置に、異なる釣り用おもり１００を複数取り付けてもよい。
【００２０】
また、図１のように、釣り用おもり１００は、釣り糸上に釣り用仕掛け１１０である釣り針１１１や、浮き１１２に挟まれるように取り付けられている。しかし、穴１０２ｈの内径は、釣り針１１１や、浮き１１２よりも小さい。したがって、釣り用仕掛け１１０は、釣り用おもり１００が釣り糸上を遊動する際、ストッパとなるように、釣り用おもり１００を貫通しない。これにより、例えば釣り糸に取り付けた釣り用おもり１００が釣り糸の端から外れるといったこともない。
【００２１】
次に、釣り用おもり１００を、使用者が釣り糸より取り外す方法について説明する。
まず、使用者は、釣り糸に固定した釣り用おもり１００の位置を確認する。
次に使用者は、第１の割り込み１０１が閉じた状態であるとき、爪溝となっている合わせ面１０３ｂの開きｂ２に爪等薄い物体を差し込み、合わせ面１０３を割るように第１の割り込み部１０１を開く。
【００２２】
このように、本実施形態の釣り用おもり１００によれば、第１の割り込み部１０１の溝１０２に釣り糸を沿わせて閉じることで、釣り糸が釣り用おもり１００との間に隙間を有したまま貫通することができる。したがって、釣り用おもり１００は、釣り糸に対して遊動することができ、取り付け位置の変更が可能となる。
【００２３】
以上、本考案について上述した実施形態を用いて説明したが、本考案は上述した実施形態にのみ限定されるものではなく、本考案の範囲内で変更等が可能であり、上述した実施形態の変形例を組み合わせてもよい。
【００２４】
本実施形態では、釣り用おもり１００は、２つの割り込み部を有する場合について説明したが、この場合に限られない。釣り用おもり１００は、例えば、第２の割り込み部１０４を備えていなくてもよい。
【符号の説明】
【００２５】
１００：釣り用おもり  １０１：第１の割り込み部  １０２：溝  １０２ｈ：穴  １０３、１０３ａ、１０３ｂ：合わせ面  １０４：第２の割り込み部  ａ、ｂ１、ｂ２、ｄ：開き  ｌ１、ｌ２、ｌ３：長さ
【図１】
0003230610.tif 000003
【図２】
0003230610.tif 000004